(57)【要約】【課題】光フィルタを透過した光の波長のピークが広がる（波形がなまる）ことによって、所望の透過帯における波長の光を選択的に取り出せなくなる場合があった。【解決手段】フェルール５と、該フェルール５の貫通孔内に配された光ファイバ４と、前記貫通孔を塞ぐようにフェルール５の一端面に接合されたバンドパスフィルタ６と、を備え、光ファイバ４は、シングルモードファイバ２とグレーデッドインデックスファイバ３を有してなり、バンドパスフィルタ６側にグレーデッドインデックスファイバ３を備えた。【選択図】図１
2009098604.tif 000002
【特許請求の範囲】
【請求項１】
フェルールと、
該フェルールの貫通孔内に配された光ファイバと、
前記貫通孔を塞ぐように前記フェルールの一端面に接合されたバンドパスフィルタと、を備え、
前記光ファイバは、シングルモードファイバとグレーデッドインデックスファイバとを接合してなり、前記グレーデッドインデックスファイバが前記バンドパスフィルタ側に配されていることを特徴とする光デバイス。
【請求項２】
前記バンドパスフィルタは、平面状の光入射面および光出射面を有する透光性支持体と、前記光出射面上に配されたフィルタ部と、を有してなるとともに、前記光入射面が前記フェルールの一端面と接合剤を介して接合されており、
前記グレーデッドインデックスファイバの屈折率をｎ１、前記接合剤の屈折率をｎ２、および前記透光性支持体の屈折率をｎ３とすると、ｎ１＜ｎ２＜ｎ３の関係を満たすことを特徴とする請求項１に記載の光デバイス。
【請求項３】
前記光出射面は、前記貫通孔と直交する方向に対して、±３°（０°を除く）の範囲で傾斜していることを特徴とする請求項１または請求項２に記載の光デバイス。
【請求項４】
前記光入射面に反射防止膜をさらに設けたことを特徴とする請求項１〜３のいずれかに記載の光デバイス。
【請求項５】
前記フィルタ部の前記透光性支持体に対して反対側にある前記フィルタ部の光出力面に、ピンホールを有する遮光部材をさらに設けたことを特徴とする請求項１〜４のいずれかに記載の光デバイス。
【請求項６】
前記光ファイバは、前記光入射面に臨む端部に、前記グレーデッドインデックスファイバに接合されたコアレスファイバをさらに備えることを特徴とする請求項１〜５のいずれかに記載の光デバイス。
【請求項７】
請求項１〜６のいずれかに記載の光デバイスと、
前記フェルールの一端部が孔部内で固定された筒状のホルダと、
前記フェルールの他端部が挿入されたスリーブと、を備えた光レセプタクル。
【請求項８】
請求項７に記載の光レセプタクルと、
前記ホルダに接合された筐体と、
該筐体の内部に収容された受光素子と、を備えた受光モジュール。
【発明の詳細な説明】
【技術分野】
【０００１】
本発明は、光通信に使用される光コネクタあるいは光レセプタクルに使用される光デバイス、およびこのような光レセプタクルを備えてなる受光モジュールに関するものである。
【背景技術】
【０００２】
受発信装置間で光通信を行う場合、例えば波長λ１及びλ２などの多重信号が光ファイバに伝送され、波長λ１の信号のみを必要とする場合、送られてくる多重信号から必要な光信号のみを選択するバンドパスフィルタ（以下、単にフィルタとも言う）を備える光学部品を使用する必要がある。このような光学部品では、たとえばフィルタを光ファイバが内蔵された光コネクタフェルールの端面に貼り付けて構成されたものがある。
【０００３】
図９に従来のフィルタ付き光コネクタ１００を示す。光コネクタフェルール１０２は円筒状をなし、その軸心に設けられた光ファイバ挿入孔に、光ファイバ１０１が嵌挿されている。光ファイバ１０１は接着剤１０４で光コネクタフェルール１０２に固定される。光コネクタフェルール１０２と光ファイバ１０１の一端面は軸心に垂直な面に対して角度θをなして傾斜しており、その傾斜面に接着剤によって光フィルタ１０３が接着固定されている。
【０００４】
この光フィルタ１０３は透明ガラス基板一側面に誘電体多層膜フィルタを蒸着形成させた干渉フィルタで、例えば、波長λ１、λ２などの光信号は透過させ、波長λ３の光信号は反射させる特性を有する。
【０００５】
このようなフィルタ付き光コネクタを使用すると、光ファイバ１０１を伝播して来る波長λ１、λ２の光多重信号は、コネクタフェルール１０２の端面に接着固定された光フィルタ１０３により、受信装置側が必要とする波長λ１の光信号だけが透過され、受信装置側に伝播されることになる。
【特許文献１】特開平２−１９５３０６号公報
【発明の開示】
【発明が解決しようとする課題】
【０００６】
フィルタ付き光コネクタでは、透過帯λ１とその両側の阻止帯λ２、λ３が設定されている光フィルタの場合、光フィルタへの入射角度により透過帯がシフトする。それ故、特許文献１に開示されたフィルタ付き光コネクタでは、光ファイバから出射される光を集光するような手段が配されていないので、光ファイバから出射する光は発散し、さまざまな入射角度で光フィルタに光が入射されることとなり、光フィルタを透過した光の波長のピークが広がる（波形がなまる）ことによって、所望の透過帯における波長の光を選択的に取り出せなくなる場合があった。特に、狭帯域の波長の光を選択的に透過する狭帯域のバンドパスフィルタにおいては、上述した波長選択性に対する影響が大きかった。
【課題を解決するための手段】
【０００７】
本発明は、上記問題点に鑑みてなされたものであり、フェルールと、フェルールの貫通孔内に配された光ファイバと、貫通孔を塞ぐように前記フェルールの一端面に接合されたバンドパスフィルタと、を備え、光ファイバは、シングルモードファイバとグレーデッドインデックスファイバとを接合してなり、前記グレーデッドインデックスファイバが前記バンドパスフィルタ側に配されていることを特徴とする。
【０００８】
また、本発明において、前記バンドパスフィルタは、平面状の光入射面および光出射面を有する透光性支持体と、該第１光入出射面上に配されたフィルタ部と、を有してなるとともに、前記光入射面が前記フェルールの一端面と接合剤を介して接合されており、前記グレーデッドインデックスファイバの屈折率をｎ１、前記接合剤の屈折率をｎ２、および前記透光性支持体の屈折率をｎ３とすると、ｎ１＜ｎ２＜ｎ３の関係を満たすことが好ましい。
【０００９】
また、本発明において、前記光出射面は、前記貫通孔と直交する方向に対して、±３°（０°を除く）の範囲で傾斜していることが好ましい。
【００１０】
さらに、本発明では、前記光入射面に反射防止膜をさらに設けることが好ましい。
【００１１】
また、本発明では、前記フィルタ部の前記透光性支持体に対して反対側にある前記フィルタ部の光出力面に、ピンホールを有する遮光部材をさらに設けることが好ましい。
【００１２】
またさらに、本発明において、前記光ファイバは、前記光出射面に臨む端部に、前記グレーデッドインデックスファイバに接合されたコアレスファイバをさらに備えることが好ましい。
【００１３】
本発明の光レセプタクルは、本発明の光デバイスと、前記フェルールの一端部が孔部内で固定された筒状のホルダと、前記フェルールの他端部が挿入されたスリーブと、を備えたことを特徴とする。
【００１４】
本発明の受光モジュールは、本発明の光レセプタクルと、前記ホルダに接合された筐体と、該筐体の内部に収容された受光素子と、を備えたことを特徴とする。
【発明の効果】
【００１５】
本発明の光デバイスによれば、バンドパスフィルタ側に配置されたグレーテッドインデックスファイバのレンズ効果により、光ファイバからの出射光が円錐状から細筒状のようなコリメート光に近づくため、バンドパスフィルタへの光の入射角度が略一定となる。その結果、本発明の光デバイスでは、バンドパスフィルタに入射される光の入射角度のバラツキを低減することができるため、所望の透過帯の光を効率よく選択的に取り出すことが可能となる。
【発明を実施するための最良の形態】
【００１６】
以下においては、本発明の光デバイスについて、図面を参照しつつ説明する。
【００１７】
図１は、本発明の光デバイスの第１の実施形態を示す断面図である。本発明の第１の実施形態に係る光デバイス１は、シングルモードファイバ２の一端にグレーテッドインデックスファイバ３（以下、ＧＩファイバ３とする）が接合されてなる光ファイバ４と、円筒状のフェルール５と、バンドバスフィルタ６（以下、光フィルタ６とする）と、接合剤である光学接着剤７と、を備えている。
【００１８】
シングルモードファイバ２は、屈折率の高いコア部と該コア部の外周を被覆するクラッド部からなり、コア部とクラッド部との屈折率差による光の閉じ込めを利用することによってコア部内で光を伝送させる光導波体である。シングルモードファイバ２には、たとえば円柱状の石英等から構成され、クラッド部の外径が１２５μｍ、コア部の径が１０μｍ程度である。
【００１９】
ＧＩファイバ３は、その軸対称にほぼ２乗の屈折率分布を備える光ファイバであり、屈折率分布ファイバとも呼ばれるものである。ＧＩファイバ３は、屈折率分布型レンズとして使用することができるため、シングルモードファイバ２から出射する円錐状に放射する光をコリメートする機能を有する。ＧＩファイバ３は、たとえば円柱状の石英等から構成され、クラッド部の外径が１２５μｍ、コア部の径が５０〜１２０μｍ程度であり、コア部に上述の屈折率分布を有する。そして、ＧＩファイバ３とシングルモードファイバ２とは、たとえば熱による融着によって接合することにより光ファイバ４を構成している。このような熱による融着接合は、シングルモードファイバとＧＩファイバとの境界面に屈折率が変化するものを介在させることなく接合できるため、光の損失を低減するという観点から好適である。なお、シングルモードファイバ２、ＧＩファイバ３とは、融着による接合に限られることなく、たとえば接着剤によって接合してもよい。
【００２０】
フェルール５は、光ファイバ４および光フィルタ６を保持する機能を担う。フェルール５は、たとえばアルミナまたはジルコニア等のセラミックスで構成されており、円筒状を成している。フェルール５は、略中央部に設けられた貫通孔内に接着剤を介して光ファイバ４が固定されている。また、フェルール５のＧＩファイバ３側の端面は、フェルールの軸方向（貫通孔の軸方向）に直交する方向に対して、所定の角度θをなして傾斜しており、その傾斜面に光学接着剤７によって光フィルタ６が接着固定されている。
【００２１】
光フィルタ６は、光入射面６ａ’および光出射面６ａ’’を有する平板状の透光性支持体６ａの光出射面６ａ’’にフィルタ部となるフィルタ膜６ｂが施されている。フィルタ膜６ｂは異なる複数の波長領域の光を含んでなる光から特定の波長帯域を選択的に透過する機能を有する、いわゆるバンドパスフィルタである。本発明の第１の実施形態において、光フィルタ６は、ＧＩファイバ３から出射された光のうち、取り出したい波長帯域のλ１を透過し、その両側の波長帯域λ２、λ３を反射することによって光を分波することができる。また、光フィルタ６は、光フィルタの透過帯域における最大透過率の半分の透過率の幅である半値幅Δλ（１／２）と、この中心の波長（透過波長）を中心波長λ０とすると、Δλ（１／２）／λ０＜１５％の狭帯域のバンドパスフィルタである。なお、λ０、λ２、およびλ３の波長帯域としては、たとえばλ０＝１５５０ｎｍ、Δλ（１／２）＝２ｎｍ、λ２＝１５２０〜１５４５ｎｍ、およびλ３＝１５５５〜１５７０ｎｍである。
【００２２】
この光フィルタ６の一部を構成する透光性支持体６ａは、たとえば光学ガラス（硼珪酸ガラスや白板ガラス）や石英ガラスからなり、屈折率は１．４５〜１．６５程度のものが用いられる。また、透光性支持体６ａの大きさは光の有効径以上あればよく、たとえば０．５ｍｍ角程度の平板状の基板である。フィルタ膜６ｂは、たとえば二酸化ケイ素と二酸化チタン等の屈折率の異なる２種類以上の誘電体を交互に積層して構成される多層膜である。この誘電体多層膜は、誘電体膜間の繰り返しの反射干渉により波長選択性を示し、その膜厚は、反射させる光の波長の１／４波長分の倍数になるように設定される。すなわち高・低屈折率のペアで１／２波長となるように多層化することにより、各誘電体膜界面における多重反射において、ある特定の波長の光の位相が一致し、干渉して強めあうことで波長選択性を有するフィルタとすることができる。そして、光フィルタ６では、フィルタ膜６ｂが透光性支持体６ａの表面に形成されているため、たとえば透光性支持体６ａの光出射面６ａ’’に蒸着、スパッタリング等の方法によってフィルタ膜６ｂを容易に作製することができる。また、光フィルタ６は、上述の狭帯域のバンドパスフィルタとして機能するようにフィルタ膜６ｂが施されており、そのフィルタ膜６ｂにおける誘電体多層膜の積層数は１００〜２５０層程度である。
【００２３】
ここで、図２を用いて光フィルタ６の透過波長帯域と光の入射角度との関係（入射角度依存性）について説明する。
【００２４】
図２（ａ）は光フィルタ６と光の透過との関係を説明するための説明図である。図２（ａ）に示すように、光フィルタ６は、たとえば波長領域λ１、λ２、λ３を含む光を光フィルタ６のフィルタ膜６ｂの光入射面に垂直な方向に対して入射角度θ１で入射すると、フィルタ膜６ｂで波長領域λ１のみを透過しその他の波長帯域λ２、λ３の光を反射する。なお、ここで波長領域λ１は波長領域λ２、λ３にはさまれている、換言すれば、波長帯域λ１、λ２、λ３の光が混ざった状態で光フィルタ６に入射されている。
【００２５】
図２（ｂ）は入射角度θ１と透過波長帯域λ１の関係を示した説明図である。この説明図における光フィルタ６の透過波長帯域λ１は、１５５８±１ｎｍの特性を有するように調整されている。そして、この光フィルタ６に対する光の入射角度θ１を０度、２度、４度、６度とした場合の透過波長帯域特性を測定した。その結果、光フィルタ６は、入射角度θ１が大きくなるに従い、透過波長帯域λは短波長側の波長帯域にシフトするとともに、その波長シフトの割合も大きくなる。このように、狭帯域のバンドパスフィルタである光フィルタ６では、光の入射角度に応じて透過波長帯域がシフトする。上述したような入射角度依存性は、入射する光の角度によってフィルタ膜を透過する光の光路長が僅かに変化するため、その光路長が１／４波長分となる波長帯域の光が透過するようになるからである。そのため、透過する波長領域が狭い狭帯域の光フィルタでは、僅かな光路長の変化でも影響を受けて、透過波長帯域がシフトしやすい。
【００２６】
図３は本発明の作用効果を説明するための説明図である。図３（ａ）は、フェルール５の一端面およびシングルモードファイバ２の端面に、フェルール５の軸方向に対して、光出射面６ａ’’が角度θで傾斜するように光フィルタ６を、光学接着剤７を介して接着した光学部品を示す部分断面図である。シングルモードファイバ２から出射し光フィルタ６に入射する光は円錐状の光束であり、その円錐角α／２は一般的に７．５度〜８．５度である。そのため、光フィルタ６に入射する光束は、α／２＞θの場合、角度０度からα／２度までの入射角となる。またα／２＜θの場合、角度（θ−α／２）度から（θ＋α／２）度までの入射角となる。ここで光フィルタ６の透過波形は、入射する円錐光の強度を前述の入射角領域にわたって積分した値をとればよい。図３（ｂ）はシングルモードファイバから出射した光が光フィルタ６を透過した後の、波長と損失の関係を示し、実線は最終的な特性、点線は円錐光束内の各入射角度に対する特性であり点線を光の強度分布にしたがって積分した値が実線となる。本特性データから明らかなように、シングルモードファイバの円錐光束の影響で、最終的な波形が大きく変化し、ピーク値が大きく減少している。
【００２７】
一方で、図３（ｃ）は、フェルール５の一端面およびＧＩファイバ３の端面に、フェルール５の軸方向に対して、光出射面６ａ’’が角度θで傾斜するように光フィルタ６を光学接着剤７を介して接着した本発明の光学部品を示す部分断面図である。ＧＩファイバ３は、屈折率分布型レンズとして使用することができるため、シングルモードファイバ２から出射する円錐状に放射する光をコリメートする機能を有する。したがって、光フィルタ６に入射する光は平行光束に近く、その円錐角α／２が０．４度〜１．５度となるようにＧＩファイバ３は設計されている。光フィルタ６に入射する光束の入射角と透過波形の考え方は上述のシングルモードファイバの場合と同じである。図３（ｄ）はＧＩファイバから出射した光が光フィルタ６を透過した後の、波長と損失の関係を示し、実線は最終的な特性、点線は円錐光束内の各入射角度（例えば０〜０．８度）に対する特性であり、点線を光の強度分布にしたがって積分した値が実線となる。本特性データから明らかなように、シングルモードファイバのみを使用した従来の構造における円錐光束の特性と比較して、本発明の構造では最終的な特性の形の変化、およびピーク値の減少が少ない良好なフィルタ特性を実現できる。
【００２８】
したがって、光デバイス１では、光フィルタ６側に配置されたＧＩファイバ３のレンズ効果により、光ファイバ４からの出射光が円錐状から細筒状のようなコリメート光に近づくため、光フィルタ６への光の入射角度を略一定とすることができる。その結果、光デバイス１では、光フィルタ６に入射される光の入射角度のバラツキを低減することができるため、所望の透過帯の光を効率よく選択的に取り出すことが可能となる。
【００２９】
また、光フィルタ６は、入射角度依存性を低減するという観点から、フィルタ膜６ｂが配された透光性支持体６ａの光出射面６ａ’’が、フェルール５の貫通孔の軸方向と直交する方向に対して±３度の範囲内で傾斜するように配置することが好ましい。また、光フィルタ６は、上記角度θが０度の場合には、反射波長の光が直接光ファイバ４に戻る可能性が高まるため、その影響を鑑みると、角度θを０度以外で３度以下となるように設定するほうが、入射角度依存性の低減および反射戻り光の防止という観点からより望ましい構造である。なお、角度θとは、透光性支持体６ａの光出射面６ａ’’とフェルール５の貫通孔の軸方向と直交する方向との成す角度であるが、透光性支持体６ａの光入射面６ａ’と光出射面６ａ’’とが互いに平行であれば、光入射面６ａ’またはフェルール５の一端面とフェルール５の貫通孔の軸方向と直交する方向との成す角度であってもよい。
【００３０】
次に、光ファイバ４、光フィルタ６、および光学接着剤７の屈折率と、光の進行方向について図４を参照しつつ説明する。
【００３１】
光学接着剤７は、フェルール５の一端面およびＧＩファイバ３の端面と透光性支持体６ａの光入射面６ａ’との間に配されており、これらを接合する機能を有する。光デバイス１では、透光性支持体６ａの屈折率ｎ３と光学接着剤７の屈折率ｎ２とＧＩファイバ３の屈折率ｎ１としたとき、ｎ１＜ｎ３の関係であることが望ましい。図４の矢印は光の進行方向を示しており、各部材の屈折率ｎ１、ｎ２、ｎ３と光の進行方向を示す角度β１、β２、β３は、ｎ１ｓｉｎβ１＝ｎ２ｓｉｎβ２＝ｎ３ｓｉｎβ３の関係があり、ｎ１＜ｎ３と設定すればβ１＞β３となり、結果としてこれはフィルタ膜６ｂへの光線の入射角度を小さくする効果がある。したがって、より光の波形の形状および光のピーク値に係る特性を改善することができる（波形のなまりを改善することができる）。
【００３２】
具体的な構成としては、ＧＩファイバ３が石英ガラス、透光性支持体６ａが光学ガラス（硼珪酸ガラスやガラスセラミック）で構成されている場合は、ｎ１＝１．４５、ｎ３＝１．５２〜１．６５となり、本発明の効果が確認できる。また、光学接着剤７は透光性のあるエポキシ樹脂、アクリル系樹脂、またはシリコーン系樹脂のような材質を使用することができる。なお、エポキシ樹脂、シリコーン樹脂およびアクリル系樹脂は、その添加物によって紫外線または熱によって硬化するものであり、これらの紫外線硬化と熱硬化の併用硬化を利用してもよい。ここで光学接着剤７の屈折率ｎ２は、ＧＩファイバ３の屈折率ｎ１および透光性支持体６ａの屈折率ｎ３と近いほど、それら界面での反射は小さくすることができる。このように、反射を小さくする効果と前述した波形のなまりの改善効果から、ｎ１＜ｎ２＜ｎ３であることが望ましい。さらに、隣接し合う部材の屈折率差が大きくなる場合は最大限に界面の反射を防止するために、たとえば酸化チタンや酸化ケイ素などの誘電体を積層した多層膜から成る反射防止膜を光入射面６ａ’に施すことが望ましい。
【００３３】
次に、本発明の第２の実施形態に係る光デバイス１’について図５を参照しつつ説明する。図５は、本発明の第２の実施形態に係る光デバイス１’を示す断面図である。光デバイス１’は、フィルタ膜６ｂの透光性支持体６ａに対して反対側にあるフィルタ膜６ｂの光出力面６ｂ’に、ピンホール９ａを有する遮光部材９を設けている点で本発明の第１の実施形態に係る光デバイス１と相違する。
【００３４】
遮光部材９は、フィルタ膜６ｂから出射された光のうち、不要な光である拡散光や乱反射光をピンホール９ａで遮断し、受光素子側への伝送を低減する機能を有する。そのため、光デバイス１’では、拡散光や乱反射光の影響を小さくすることができ、より波長選択性を向上させることができる。遮光部材９の形状は、ピンホール９ａが形成されていれば、特に限定されるものではないが、製法上の観点から平板状が好ましい。このピンホール９ａは、透過すべき信号光の損失が極力小さくなるような大きさに設定される。また、遮光部材９の材質としては、たとえばステンレス等の金属で構成される。さらに、遮蔽部材９は、ピンホール９ａ以外の部分で光が透過しないほうが、より拡散光や乱反射光を低減できるため、少なくともフィルタ膜６ｂと接着している面において、光の反射を防止する工夫、たとえば当該面を黒色処理するなどの反射防止手段を施すと好適である。また、遮光部材９は、たとえばエポキシ系、アクリル系等の接着剤でもってフィルタ膜６ｂの光出力面６ｂ’と接合される。なお、このような接着剤で遮光部材９を取り付ける際には、ピンホール９ａの内部に接着剤が入り込まないようにするのがよい。
【００３５】
次に、本発明の第３の実施形態に係る光デバイス１’’について図６を参照しつつ説明する。図６は光デバイス１’’を示す断面図である。光デバイス１’’は、ＧＩファイバ３の透光性支持体６ａの光入射面６ａ’に臨む端部に、コアレスファイバ８が接合されている点で光デバイス１の構成と相違する。コアレスファイバ８は単一の屈折率を持つ光ファイバ４とほぼ同径の石英からなる。フェルール５の一端面にはコアレスファイバ８が露出しており、フェルール５とコアレスファイバ８は同時に端面を研磨加工されており、所望の端面角度となるように加工できる。このようにフェルール５端面側にコアレスファイバ８を配置した光デバイス１’’では、端面研磨の際、レンズ効果のあるＧＩファイバ３の長さを変えることなく研磨が可能となり、あらかじめ設計したＧＩファイバの長さを保持できるため、設計の容易性という点で好適である。ここで、コアレスファイバ８はその外径が光ファイバと同じく１２５μｍ、そして、ＧＩファイバ３とシングルモードファイバ２の場合と同じく、熱による融着によって接合される。
【００３６】
次に、本発明の光レセプタクル、および受光モジュールについて図面を参照しつつ説明する。図７は本発明の一実施形態である光レセプタクル１０、１０’を、図８は本発明の一実施形態である受光モジュール２０を説明する模式図である。
【００３７】
光レセプタクル１０は、図７（ａ）に示すように、光デバイス１と、ファイバスタブ１４と、スリーブ１２と、金属製のスリーブケース１３と、金属製のホルダ１１とによって構成されている。
【００３８】
光レセプタクル１０において、ファイバスタブ１４は、例えば、ジルコニア、アルミナ等のセラミック材料からなるフェルール５と、該フェルール５の貫通孔に石英ガラス等からなるシングルモードファイバ２の一端に同じく石英ガラス等からなるＧＩファイバ３が接合されてなる光ファイバを挿入固定して得られ、そのファイバスタブ１４の後端部が金属製のホルダ１１に圧入されている。このように、ファイバスタブ１４の後端部を金属製のホルダ１１に圧入して固定するために、ホルダ１１のファイバスタブ１４が挿入される箇所の内径は、ファイバスタブ１４の外径よりわずかに小さく製作される。一方、ファイバスタブ１４の先端部は、スリーブ１２の内孔に挿入され、そのスリーブ１２を保護するためのスリーブケース１３がホルダ１１に圧入または接着により固定されている。さらに、ファイバスタブ１４の後端部（ＧＩファイバ端）には光学部品である光フィルタ６が接着固定されている。ファイバスタブ１４の後端部（ＧＩファイバ端）は、ファイバスタブ１４の光学軸に対して±３°（０°を除く）で傾斜する傾斜面とすることが好ましく、このような傾斜面とすることで、例えばプラグフェルール１８から入射した波長の光の内、光フィルタ６で反射する波長の光が、再びプラグフェルール１８に戻るのを防ぐことができる。
【００３９】
ファイバスタブ１４の光ファイバ２と、プラグフェルール１８の光ファイバ１９とは光学的に接続される。ここで、ファイバスタブ１４の先端面１４ａは、アール面（例えば曲率半径が５〜３０ｍｍ）であることが好ましく、このようにアール面とすることにより、光ファイバ１９と接続した際に、接続損失を低減することができる。
【００４０】
スリーブ１２は、ファイバスタブ１４およびプラグフェルール１８が挿入される貫通孔を有し、ファイバスタブ１４の光ファイバの光軸と、プラグフェルール１８の光ファイバの光軸とを一致させる機能を担う部材である。このスリーブ１２の貫通孔には、開放端からファイバスタブ１４が挿入され、他の開放端からプラグフェルール１８が挿入される。
【００４１】
スリーブケース１３は、スリーブ１２を収容するための略円筒形状の筒状部材であり、プラグフェルール１８が挿入される開口部と、ホルダ１１に接合するための接合部とを有する。スリーブケース１３におけるスリーブ１２を収容するための空間の径は、スリーブ１２の外径より若干（例えば６０μｍ）大きく構成されている。また、開口部は、プラグフェルール１８の挿入時に該プラグフェルール１８を案内するための部位であり、テーパ状に構成されている。開口部における開口端径はプラグフェルール１８の外径より若干（例えば０．２ｍｍ）大きく構成されている。接合部は、上述したように、ホルダ１１に接合するための部位である。
【００４２】
スリーブケース１３を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが挙げられる。この中でもホルダ１１との固定を考慮し、熱膨張係数を合わせて信頼性を高めるため、ホルダ１１同様、ステンレスを用いるのが好ましい。
【００４３】
このようにして、ファイバスタブ１４が、ホルダ１１の保持部によって保持され、スリーブケース１３がスリーブ保持部によって保持され、受光モジュールを構成する際、ホルダ１１に光素子を含むサブモジュールが接続される。
【００４４】
ホルダ１１を構成する材料としては、ステンレス、銅、鉄およびニッケルなどが挙げられ、中でも、ＹＡＧ溶接性に優れているＳＵＳ３０４やＳＦ２０Ｔ等のステンレス材料が好適である。
【００４５】
また、光レセプタクル１０’は、図７（ｂ）に示すように、光レセプタクル１０のホルダ１１のフェルール５を保持する部位が、フェルール５を完全に覆うまで延びており、かつ光ファイバ４と同軸上に、光フィルタ６からの出射光が通過する孔部１１ａが形成されている。このような光レセプタクル１０’では、孔部１１ａが形成された付近のホルダ１１の壁面部において、光フィルタ６から出射された光のうち、ＧＩファイバ３のクラッド部を伝送してくるような迷光を遮断することができる。また、孔部１１ａは、フェルール５の貫通孔と同等の径で形成されており、たとえばドリル加工等で容易に作製することができる。
【００４６】
図８の受光モジュール２０は、光レセプタクル１０の後端面側に、光素子１５とレンズ１６を備えた金属製の筺体１７を溶接により接合することにより構成される。以上のように構成された受光モジュールにおいて、光レセプタクル１０の前端面側（光フィルタ６が配置される端面の反対側）より、スリーブ１２の内孔にプラグフェルール１８を挿入し、光ファイバ１９の端面を当接させる。
【００４７】
このような受光モジュール２０の機能について説明する。外部から伝送ファイバによって伝送された波長多重信号光λ１、λ２、λ３、は、プラグフェルール１８、レセプタクル１０を介して光フィルタ６に入射する。光フィルタ６のバンドパスフィルタ機能によって特定の波長の光λ１が透過し、その他の波長の光λ２、λ３は反射し除去される。透過した波長の光λ１がレンズ１６を介して光素子１５に集光し、電気信号に変換される。このように受光モジュール２０では、本発明の光デバイスを用いることにより、ある特定の情報のみを取り出して受光検出できる利点がある。
【図面の簡単な説明】
【００４８】
【図１】本発明の第１の実施形態に係る光デバイスを示す断面図である。
【図２】（ａ）および（ｂ）は光フィルタと光の透過波長との関係を示す説明図である。
【図３】本発明の作用効果を説明するための説明図である。
【図４】本発明の第１の実施形態に係る光デバイスを構成する部材を透過する光の伝播の様子を説明するための模式図である。
【図５】本発明の第２の実施形態に係る光デバイスを示す断面図である。
【図６】本発明の第３の実施形態に係る光デバイスを示す断面図である。
【図７】（ａ）、（ｂ）は本発明の光レセプタクルを示す断面図である。
【図８】本発明の受光モジュールを示す断面図である。
【図９】従来のフィルタ付き光コネクタ示す断面図である。
【符号の説明】
【００４９】
１、１’：光デバイス
２：シングルモードファイバ
３：グレーテッドインデックスファイバ
４、１９：光ファイバ
５：フェルール
６：光フィルタ（バンドパスフィルタ）
６ａ：透光性支持体
６ｂ：フィルタ膜
７：光学接着剤
８：コアレスファイバ
９：遮光部材
９ａ：ピンホール
１０、１０’：光レセプタクル
１１：ホルダ
１１ａ：孔部
１２：スリーブ
１３：スリーブケース
１４：ファイバスタブ
１５：光素子
１６：レンズ
１７：筺体
１８：プラグフェルール
２０：受光モジュール
【図１】
2009098604.tif 000003
【図２】
2009098604.tif 000004
【図３】
2009098604.tif 000005
【図４】
2009098604.tif 000006
【図５】
2009098604.tif 000007
【図６】
2009098604.tif 000008
【図７】
2009098604.tif 000009
【図８】
2009098604.tif 000010
【図９】
2009098604.tif 000011